(57)【要約】本出願は、レンズアセンブリとレンズマウントを備えるレンズ構造を提供し、前記レンズアセンブリは、ミラー室と、前記ミラー室の底部に設けられる支持台とを備え、前記レンズマウントは、前記支持台に回動接続される。本出願に係るレンズ構造及び付加レンズ機構は、レンズアセンブリとレンズマウントとが２つの単独部材に分けされ、支持台がレンズマウントに回動接続され、すなわち、支持台とレンズマウントとの相対的な回動を実現することができ、すなわち、レンズアセンブリとレンズマウントとの相対的な回動を実現でき、レンズマウントが取付本体と固定接続し、レンズアセンブリが取付本体に対して相対的に回動ことができ、したがって、レンズアセンブリの方向が正確な方向まで終始回転するよう保証できることにより、異なる型番の携帯電話に適応できる。
2021532384.tif 000002
【特許請求の範囲】
【請求項１】
レンズ構造であって、レンズアセンブリ(１)とレンズマウント(２)を備え、前記レンズアセンブリ(１)は、ミラー室(１１)と、前記ミラー室(１１)の底部に設けられる支持台(１２)とを備え、前記レンズマウント(２)は前記支持台(１２)に回動接続されることを特徴とするレンズ構造。
【請求項２】
前記レンズマウント(２)は、前記支持台(１２)の外側に套設され、又は前記支持台(１２)は、前記レンズマウント(２)の外側に套設されることを特徴とする請求項１に記載のレンズ構造。
【請求項３】
前記支持台(１２)は、ひとつの中空円筒状環状台であり、前記レンズマウント(２)は、ひとつの中空円形収容キャビティ(２１)であり、前記支持台(１２)の外側に套設される収容キャビティ(２１)を備えることを特徴とする請求項２に記載のレンズ構造。
【請求項４】
前記支持台(１２)は、伸縮性弾性アセンブリ(１３)を介して前記収容キャビティ(２１)と取り外し可能に接続されることを特徴とする請求項３に記載のレンズ構造。
【請求項５】
前記伸縮性弾性アセンブリ(１３)は、第１の弾性部材(１３１)と、及び少なくともひとつの前記支持台(１２)に突出される固定脚(１３２)とを備え、前記第１の弾性部材(１３１)の両端が、それぞれ前記支持台(１２)と前記固定脚(１３２)とに当接し、前記収容キャビティ(２１)の内側壁には、前記固定脚(１３２)が回動するためのガイド溝(２１１)が設けられ、前記固定脚(１３２)は前記ガイド溝(２１１)内に嵌設されてもよいことを特徴とする請求項４に記載のレンズ構造。
【請求項６】
前記支持台(１２)の外側壁に凹溝(１２１)が開設され、前記第１の弾性部材(１３１)及び前記固定脚(１３２)は、いずれも前記凹溝(１２１)内に設けられ、前記第１の弾性部材(１３１)の一端が、前記凹溝(１２１)の内壁に当接し、他端が前記固定脚(１３２)に当接することを特徴とする請求項５に記載のレンズ構造。
【請求項７】
前記レンズアセンブリ(１)と前記レンズマウント(２)との回動を制限するための回り止めアセンブリ(３)をさらに備えることを特徴とする請求項１〜６のいずれか１項に記載のレンズ構造。
【請求項８】
前記回り止めアセンブリ(３)は、第２の弾性部材(３１)と、前記第２の弾性部材(３１)に接続される第１のストッパピン(３２)とを備え、前記支持台(１２)に前記第２の弾性部材(３１)を収容するキャビティ(１２２)が形成され、前記第１のストッパピン(３２)の一端が前記第２の弾性部材(３１)に固定接続され、他端が前記レンズマウント(２)に当接することを特徴とする請求項７に記載のレンズ構造。
【請求項９】
前記レンズマウント(２)の前記レンズアセンブリ(１)に向かう片側に少なくともひとつのストッパー孔(２１２)が設けられ、前記第１のストッパピン(３２)は、前記ストッパー孔(２１２)内に挿設されてもよいことを特徴とする請求項８に記載のレンズ構造。
【請求項１０】
前記ストッパー孔(２１２)の数量は少なくとも２つであり、２つの前記ストッパー孔(２１２)の前記レンズマウントでの夾角は９０度であることを特徴とする請求項９に記載のレンズ構造。
【請求項１１】
前記回り止めアセンブリ(３)は、前記第１のストッパピン(３２)を上下に移動するように連動するキー(３３)をさらに備えることを特徴とする請求項８に記載のレンズ構造。
【請求項１２】
付加レンズ機構であって、請求項１〜１１のいずれか１項に記載のレンズ構造と、前記スマートデバイス(５)と連携するための取付本体(４)とを備え、前記レンズ構造は、前記取付本体(４)により前記スマートデバイス(５)に取り付けられることを特徴とする付加レンズ機構。
【請求項１３】
前記レンズマウント(２)は、前記取付本体(４)に取り外し可能に取り付けられることを特徴とする請求項１２に記載の付加レンズ機構。
【請求項１４】
レンズマウント(２)の底部に前記レンズ構造と前記取付本体(４)の角度を制限する第２のストッパピン(２２)が設けられることを特徴とする請求項１２に記載の付加レンズ機構。
【請求項１５】
前記第２のストッパピン(２２)は、第３の弾性部材(２３)を介して前記レンズマウント(２)に接続され、前記第２のストッパピン(２２)は、前記取付本体(４)側壁に当接することを特徴とする請求項１４に記載の付加レンズ機構。
【請求項１６】
前記ミラー室(１１)の前記レンズマウント(２)から遠い片側に取り外し可能に固定されるフィルタ(６)をさらに備えることを特徴とする請求項１２に記載の付加レンズ機構。
【請求項１７】
さらには、前記フィルタ(６)と前記ミラー室(１１)との間に、軟質ゴムストリップ(６１)が設けられることを特徴とする請求項１６に記載の付加レンズ機構。
【発明の詳細な説明】
【技術分野】
【０００１】
本出願は、スマートデバイス撮影部材の技術分野に関し、具体的に、レンズ構造及び付加レンズ機構に関する。
【背景技術】
【０００２】
現代社会は急速に発展している情報時代にあり、携帯電話は通信消費財としてすでに人々の生活の必需品となっている。オプトエレクトロニクス及び精密などの技術の発展に伴って、携帯電話は、従来の通信機能の上に、多種の機能を統合しており、典型的な例はデジタル写真撮影機能である。近年、携帯電話のカメラの感光素子のサイズの増大及び位相検出オートフォーカスと光学的シェイク防止処理などの技術の加入に伴って、携帯電話はますます伝統的なデジタルカメラに代わって、人々の日常的な写真撮影と撮影の第一選択となり、各種の携帯電話レンズもそれに伴って発展してきた。
【０００３】
携帯電話で撮影する際に、携帯電話のビデオ撮影画角比は１６：９であり、映画レンズで撮影画角比を２．４：１に変化するが、携帯電話が９０度回転した後、撮影画角比は１６：１２に変化し、ビデオ撮影画角比が正しくないため使用されなく、映画レンズを使用する際に、映画レンズの角度を保つ必要がある。
【０００４】
現有技術において、映画レンズは一般的に、スナップフィット接続又はボルト固定の方式で映画レンズと携帯ケース又は携帯電話付属品を接続し、ボルトを直接固定する方式は取り外しやすくない。スナップフィット接続で係合を実現する方式は、９０度回転して締める必要があり、また、携帯電話の型番によって必要な回転締める方向が一致しないため、レンズに対応する角度が９０度ずれてしまって、映画レンズの使用に影響を与える。
【発明の概要】
【発明が解決しようとする課題】
【０００５】
本出願の目的は、従来技術における映画レンズの正確な使用角度を保持する必要があるという課題を解決するためのレンズ構造及び付加レンズ機構を提供するすることにある。
【課題を解決するための手段】
【０００６】
上記目的を達成するために、本出願が採用する技術的解決手段は、レンズアセンブリとレンズマウントを備えるレンズ構造を提供し、前記レンズアセンブリは、ミラー室と、前記ミラー室の底部に設けられる支持台とを備え、前記レンズマウントは、前記支持台に回動接続される。
【０００７】
さらには、前記レンズマウントは、前記支持台の外側に套設され、又は前記支持台は、前記レンズマウントの外側に套設される。
【０００８】
さらには、前記支持台は、ひとつの中空円筒状環状台であり、前記収容キャビティは、ひとつの中空円形収容キャビティであり、前記支持台の外側に套設される。
【０００９】
さらには、前記支持台は、前記収容キャビティと伸縮性弾性アセンブリを介して取り外し可能に接続される。
【００１０】
さらには、前記伸縮性弾性アセンブリは、第１の弾性部材と、及び少なくともひとつの前記支持台に突出される固定脚とを備え、前記第１の弾性部材の両端が、それぞれ前記支持台と前記固定脚に当接し、前記収容キャビティの内側壁には、前記固定脚が回動するためのガイド溝が設けられ、前記固定脚は前記ガイド溝内に嵌設されしてもよい。
【００１１】
さらには、前記支持台の外側壁に凹溝が開設され、前記第１の弾性部材及び前記固定脚は、いずれも前記凹溝内に設けられ、前記第１の弾性部材の一端が、前記凹溝の内壁に当接し、他端が前記固定脚に当接する。
【００１２】
さらには、前記レンズアセンブリと前記レンズマウントとの回動を制限するための回り止めアセンブリをさらに備える。
【００１３】
さらには、前記回り止めアセンブリは、第２の弾性部材と、前記第２の弾性部材に接続される第１のストッパピンとを備え、前記支持台に前記第２の弾性部材を収容するキャビティが形成され、前記第１のストッパピンの一端が前記第２の弾性部材に固定接続され、他端が前記レンズマウントに当接する。
【００１４】
さらには、前記レンズマウントの前記レンズアセンブリに向かう片側に少なくともひとつのストッパー孔が設けられ、前記第１のストッパピンは、前記ストッパー孔内に挿設されてもよい。
【００１５】
さらには、前記ストッパー孔の数量は少なくとも２つであり、２つの前記ストッパー孔の前記レンズマウントでの夾角は９０度である。
【００１６】
さらには、前記回り止めアセンブリは、前記第１のストッパピンを上下に移動するように連動するキーをさらに備える。
【００１７】
本出願は、付加レンズ機構をさらに開示し、上記のいずれか１項におけるレンズ構造と、前記スマートデバイスと連携するための取付本体とを備え、前記レンズ構造は、前記取付本体により前記スマートデバイスに取り付けられる。
【００１８】
さらには、前記レンズマウントは、前記取付本体に取り外し可能に取り付けられる。
【００１９】
さらには、レンズマウントの底部に前記レンズ構造と前記取付本体の角度を制限する第２のストッパピンが設けられる。
【００２０】
さらには、前記第２のストッパピンは、第３の弾性部材を介して前記レンズマウントに接続され、前記第２のストッパピンは、前記取付本体側壁に当接する。
【００２１】
さらには、前記ミラー室の前記レンズマウントから遠い片側に取り外し可能に固定されるフィルタをさらに備える。
【００２２】
さらには、前記フィルタと前記ミラー室との間に、軟質ゴムストリップが設けられる。
【発明の効果】
【００２３】
本出願に係るレンズ構造及び付加レンズ機構の有益な効果は以下のとおりであり、従来技術と比較して、本出願に係るレンズ構造及び付加レンズ機構は、レンズアセンブリとレンズマウントとが２つの単独部材に分けされ、支持台がレンズマウントに回動接続され、すなわち、支持台とレンズマウントとの相対的な回動を実現することができ、すなわち、レンズアセンブリとレンズマウントとの相対的な回動を実現でき、レンズマウントが取付本体と固定接続し、レンズアセンブリが取付本体に対して相対的に回動することができ、したがって、レンズアセンブリの方向が正確な方向まで終始回転するよう保証できることにより、異なる型番の携帯電話に適応できる。
【図面の簡単な説明】
【００２４】
本出願の具体的な実施形態又は従来技術における技術的解決手段をより明確に説明するために、以下、具体的な実施形態及び従来技術の記述のために使用した図面を簡単に説明し、勿論、以下の説明における図面は、本出願のいくつかの実施形態に過ぎず、当業者であれば、創造的な労働を必要とせずに、これらの図面に基づいて他の図面を想到しうる。
【００２５】
【図１】本出願の実施例に係るレンズ構造の立体構造の概略図である。
【図２】本出願の実施例に係るレンズ構造の分解構造の概略図である。
【図３】本出願の実施例に係るレンズ構造の平面視構造の概略図である。
【図４】図３のＡ−Ａ線に沿う断面構造図である。
【図５】本出願の実施例に係る付加レンズ機構の立体構造の概略図であり、そのうち、スマートデバイスを示しない。
【図６】本出願の実施例に係る付加レンズ機構の分解構造の概略図であり、そのうち、スマートデバイスを示しない。
【図７】本出願の実施例に係る付加レンズ機構の立体構造の概略図である。
【図８】本出願の実施例に係る付加レンズ機構の後面視構造の概略図である。
【図９】図８のＢ-Ｂ線に沿う断面構造図である。
【符号の説明】
【００２６】
１−レンズアセンブリ、２−レンズマウント、３−回り止めアセンブリ、４−取付本体、５−スマートデバイス、６−フィルタ、１１−ミラー室、１２−支持台、１３−伸縮性弾性アセンブリ、１２１−凹溝、１２２−キャビティ、１３１−第１の弾性部材、１３２−固定脚、２１−収容キャビティ、２２−ストッパー第１のストッパピン、２３−第３の弾性部材、２４−係合突起、２１１−ガイド溝、２１２−ストッパー孔、３１−第２の弾性部材、３２−第１のストッパピン、３３−キー、４１−環状係合溝、４１１−切り欠き、６１−軟質ゴムストリップ
【発明を実施するための形態】
【００２７】
以下、図面を参照しながら本出願の技術的解決手段を明確で完全に説明し、勿論、説明する実施例は、本発明のひとつの部の実施例に過ぎず、全ての実施例ではない。本出願における実施例に基づき、当業者が創造的な労働を必要とせずに想到しうる全ての他の実施例は、本出願の保護範囲に属する。
【００２８】
なお、本発明の説明において、「中心」、「上」、「下」、「左」、「右」、「垂直」、「水平」、「内」、「外」などの用語によって示される方位又は位置関係が、図面に基づく方位又は位置関係であり、本発明を記述しやすくして説明を簡略化させるためのものに過ぎず、示される装置又は素子が必ず特定の方位を有したり、特定の方位で構造又は操作されたりすることを指示又は暗示するものではなく、従って、本発明に対する制限と理解できない。この他、用語「第１」、「第２」、「第３」は、説明するために過ぎず、その重要性を表し又は暗示するものと理解できない。
【００２９】
なお、本発明の説明において、特に規定及び制限がない限り、用語「取り付け」、「繋がる」、「接続」は、広義で理解すべきであり、たとえば、固定して接続されてもよく、取り外し可能に接続されてもよく、又はひとつの体的に接続されてもよく、機械的に接続されてもよく、電気的に接続されてもよく、直接接続されてもよく、中間媒体を介して間接的に接続されてもよく、２つの素子の内部が連通してもよい。当業者であれば、具体的な状況に応じて上記用語の本発明での具体的な意味を理解することができる。
【００３０】
また、以下説明する本発明の各実施形態に関する技術的特徴が互いに矛盾を形成しない限り相互に組み合わせることができる。
【００３１】
図１乃至図４を併せて参照して、本出願に係るレンズ構造について説明する。前記レンズ構造は、レンズアセンブリ１とレンズマウント２を備え、前記レンズアセンブリ１は、ミラー室１１と前記ミラー室１１底部に設けられる支持台１２を備え、前記レンズマウント２は前記支持台１２に回動接続される。
【００３２】
本出願に係るレンズ構造及び付加レンズ機構の有益な効果は以下のとおりであり、従来技術と比較して、本出願のレンズ構造及び付加レンズ機構は、レンズアセンブリ１とレンズマウント２とが２つの単独部材に分けされ、支持台１２がレンズマウント２に回動接続され、すなわち、支持台１２とレンズマウント２との相対的な回動を実現することができ、すなわち、レンズアセンブリ１とレンズマウント２との相対的な回動を実現でき、レンズマウント２が取付本体４と固定接続し、レンズアセンブリ１が取付本体に対して相対的に回動でき、したがって、レンズアセンブリの方向が正確な方向まで終始回転するよう保証できることにより異なる型番の携帯電話に適応できる。
【００３３】
具体的には、レンズアセンブリ１は、複数の光学アセンブリのレンズを備え、それは广角レンズ、ポートレートレンズ又は映画レンズ等であってもよく、レンズマウント２はスマートデバイス５での取付本体４と連携することに用いられることにより、レンズ構造とスマートデバイス５との間の接続を実現し、レンズアセンブリ１とレンズマウント２との間の相対的な回動に対して、支持台１２とレンズマウント２とを回動するのは、レンズアセンブリ１の軸方向位置を変換する必要がなく、レンズマウント２と支持台１２との間の角度を調整するだけで、光路変換方向が終始正確な方向であるよう保証する。
【００３４】
図１乃至図４を併せて参照して、本出願に係るレンズ構造について説明する。前記レンズ構造は、前記レンズマウント２が前記支持台１２の外側に套設され、又は前記支持台１２が前記レンズマウント２の外側に套設される。具体的には、支持台１２とレンズマウント２とが相対的な回動を実現でき、回動方式は、一般的に嵌設の方式であり、すなわち、レンズマウント２が支持台１２の内部に嵌設され、すなわち、レンズマウント２に支持台１２を収容するための収容キャビティ２１が設けられ、支持台１２が該収容キャビティ２１内で回動し固定することができ、この場合、レンズマウント２と支持台１２との間の回動接続を実現するのは嵌設の方式を採用してもよい。支持台１２がレンズマウント２の内部に嵌設されてもよく、すなわち、レンズマウント２に支持台１２を収容するための収容キャビティが開設され、レンズマウント２が支持台１２内で回動し固定することができる。当然ながら、実際の状況と具体的なニーズに応じて、本出願の他の実施例では、レンズマウント２に支持台１２が回動し固定するためのガイドレールが設けられてもよく、ここで一義的に限定されない。
【００３５】
さらには、図２乃至図４を併せて参照して、本出願に係るレンズ構造の具体的な実施形態として、前記支持台１２は、ひとつの中空円筒状環状台であり、前記レンズマウント２は、ひとつの収容キャビティ２１を備え、前記収容キャビティ２１がひとつの中空円形収容キャビティ２１であり、前記支持台１２外側に套設される。具体的には、支持台１２の横断面の形状が円形であり、収容キャビティ２１も円形であり、収容キャビティ２１が支持台１２の外側に設けられ、支持台１２に対する囲みと保護を実現するだけでなく、支持台１２との固定接続も実現できる。支持台１２は、中空円筒状環状台であり、ミラー室１１の底部に設けられ、ミラー室１１内に複数のレンズが配置される。当然ながら、実際の状況と具体的なニーズに応じて、本出願の他の実施例では、支持台１２はひとつの中空円形収容キャビティであってもよく、レンズマウント２が収容キャビティの内部に嵌設され、支持台１２と収容キャビティ２１との横断面は、端が円弧の正方形又は他の回動可能な形状であってもよく、ここで一義的に限定されない。
【００３６】
さらには、図２乃至図４を併せて参照して、本出願に係るレンズ構造の具体的な実施形態として、前記支持台１２は前記収容キャビティ２１と伸縮性弾性アセンブリ１３を介して取り外し可能に接続される。具体的には、支持台１２は収容キャビティ２１と取り外し可能に接続され、伸縮性弾性アセンブリ１３が支持台１２の外側壁に設けられ、伸縮性弾性アセンブリ１３の伸縮により支持台１２と収容キャビティ２１の内側壁との間の隙間を変更し、伸縮性弾性アセンブリ１３が圧縮した後に支持台１２を収容キャビティ２１内に置くことができ、収容キャビティ２１内に置いた後に伸縮性弾性アセンブリ１３が戻り、支持台１２と収容キャビティ２１との固定も実現でき、したがって、レンズアセンブリ１とレンズマウント２との組み立てを容易に実現する。伸縮性弾性アセンブリ１３は弾性プラグ、弾性スナップフィット等弾性がありレンズアセンブリ１とレンズマウント２組み立てを実現できる部材であってもよい。
【００３７】
支持台１２は、収容キャビティ２１の内部に設けられ、伸縮性弾性アセンブリ１３介して支持台１２と収容キャビティ２１の取り外し可能な接続を実現し、したがって、支持台１２を収容キャビティ２１の内部で回動させることができ、支持台１２は収容キャビティ２１と取り外し可能であり、したがって、レンズアセンブリ１とレンズマウント２との相対的な回動と取り外しを実現し、伸縮性弾性アセンブリ１３を採用するのは、レンズアセンブリ１とレンズマウント２との組み立てを容易に実現できる。レンズマウント２は取付本体４と固定接続することができ、レンズアセンブリ１は取付本体４に対して相対的に回動することができ、したがって、レンズアセンブリ１の方向が正確な方向まで終始回転するよう保証できることにより、異なる型番の携帯電話に適応できる。
【００３８】
さらには、図２を参照して、本出願に係るレンズ構造の具体的な実施形態として、前記伸縮性弾性アセンブリ１３は、第１の弾性部材１３１と、及び少なくともひとつの前記支持台１２に突出される固定脚１３２とを備え、前記第１の弾性部材１３１の両端がそれぞれ前記支持台１２と前記固定脚１３２に当接し、前記収容キャビティ２１の内側壁に前記固定脚１３２が回動するためのガイド溝２１１が設けられ、前記固定脚１３２は前記ガイド溝２１１内に嵌設されてもよい。具体的には、第１の弾性部材１３１の一端が支持台１２に当接し、他端が固定脚１３２に当接し、固定脚１３２が支持台１２の側壁に突出されてもよく、固定脚１３２が収縮する際に支持台１２と収容キャビティ２１との取り外しを容易に実現でき、固定脚１３２が突出する際に、支持台１２と収容キャビティ２１との固定を実現できる。ガイド溝２１１は、収容キャビティ２１の内側壁に下に向かって凹設されるガイド溝２１１であり、固定脚１３２が該ガイド溝２１１内で移動できることにより、支持台１２と収容キャビティ２１との間の回動を実現し、ガイド溝２１１の側壁が固定脚１３２の上下移動を制限できることにより、固定脚１３２の固定を実現し、さらに、支持台１２とレンズマウント２との間の固定を実現する。固定脚１３２で支持台１２と収容キャビティ２１とに対して固定し、その弾性収縮を利用して組み立てを容易にし、固定脚１３２が回動する際に体積が小さいため、固定脚１３２がガイド溝２１１と連携する際に摩耗を減少でき、レンズ構造全体の使用寿命を保証できる。
【００３９】
さらには、図２を参照して、本出願に係るレンズ構造の具体的な実施形態として、前記支持台１２の外側壁に凹溝１２１が開設され、前記第１の弾性部材１３１及び前記固定脚１３２は、いずれも前記凹溝内１２１に設けられ、前記第１の弾性部材１３１の一端が、前記凹溝１２１の内壁に当接し、他端が前記固定脚１３２に当接する。具体的には、支持台１２の側壁に第１の弾性部材１３１と固定脚１３２とを収容する凹溝１２１が開設され、第１の弾性部材１３１は、一般的にばね又は軟質ゴムガスケット等の弾性がある素子とデバイスで構造され、該凹溝１２１により第１の弾性部材１３１の位置が制限され、使用中に第１の弾性部材１３１の位置がずれないようを避け、固定脚１３２は、第１の弾性部材１３１の連動で凹溝１２１内に伸縮を実現し、凹溝１２１は、固定脚１３２の移動にガイド役割を果たすことができ、固定脚１３２を終始収容キャビティ２１の片側に向かって前後に移動させ、支持台１２と収容キャビティ２１との固定をより良く実現でき、支持台１２と収容キャビティ２１との間の回動の摩擦力を大きくにし、回動する際の心地を強める。
【００４０】
さらには、図１乃至図４を参照して、本出願に係るレンズ構造の具体的な実施形態として、前記レンズアセンブリ１と前記レンズマウント２との回動を制限するための回り止めアセンブリ３をさらに備える。具体的には、回り止めアセンブリ３は、レンズアセンブリ１とレンズマウント２との間の回動を制限することに用いられ、レンズアセンブリ１が正確な角度まで回動した後に再度回動し又は緩んで落ちることを避け、使用中にレンズアセンブリ１の安定性を保証し、さらに、レンズ構造全体の使用効果を保証する。回り止めアセンブリ３はスナップフィット構造、プラグ構造又は他の取り外し可能な構造であってもよく、ボルト等ような固定構造であってもよく、ここで一義的に限定されない。
【００４１】
さらには、図２及図４を参照して、本出願に係るレンズ構造の具体的な実施形態として、前記回り止めアセンブリ３は、第２の弾性部材３１と、前記第２の弾性部材３１に接続される第１のストッパピン３２とを備え、前記支持台１２に前記第２の弾性部材３１を収容するキャビティ１２２が形成され、前記第１のストッパピン３２の一端が前記第２の弾性部材３１に固定接続され、他端が前記レンズマウント２に当接する。具体的には、第２の弾性部材３１がキャビティ１２２の内部に設けられ、第２の弾性部材３１の一端が該キャビティ１２２の内側壁に当接してもよく、第２の弾性部材３１の他端が第１のストッパピン３２に固定接続されてもよく、該第１のストッパピン３２が該キャビティ１２２に沿って移動し、レンズマウントに当接してもよく、該第１のストッパピン３２によりレンズマウント２と支持台１２との固定接続を実現することができる。第２の弾性部材３１は、一般的にばね又は軟質ゴムガスケット等の弾性がある素子とデバイスで構造される。当然ながら、実際の状況と具体的なニーズに応じて、本出願の他の実施例では、回り止めアセンブリはスナップフィット又はフック等ような構造であってもよく、ここで一義的に限定されない。
【００４２】
さらには、図２及図５を参照して、本出願に係るレンズ構造の具体的な実施形態として、前記レンズマウント２の前記レンズアセンブリ１に向かう片側に少なくともひとつのストッパー孔２１２が設けられ、前記第１のストッパピン３２が前記ストッパー孔２１２内に挿設されてもよい。具体的には、該ストッパー孔２１２が第１のストッパピン３２に結合することに用いられ、第１のストッパピン３２が該ストッパー孔２１２の内部まで挿入できることにより、該第１のストッパピン３２が支持台１２の回動に伴って対応する回動できず、ストッパー孔２１２が好適なストッパー効果を奏することができ、ストッパー孔２１２の位置は一般的に複数を有してもよく、ストッパー孔２１２がレンズマウント２の外縁に間隔をおいて均一に設けられてもよく、ストッパー孔２１２は、数量が複数で不均一に設けられてもよく、ストッパー孔２１２が特定の位置であり、第１のストッパピン３２がストッパー孔２１２に挿入する際に、該レンズ構造はある一種又は多種の型番のスマートデバイス５に適用する。
【００４３】
さらには、図２を参照して、本出願に係るレンズ構造の具体的な実施形態として、前記ストッパー孔２１２の数量は少なくとも２つであり、２つの前記ストッパー孔２１２の前記レンズマウントでの夾角は９０度である。具体的には、従来技術における接続スナップフィットで係止を実現する方式は、９０度を回転する必要があり、異なる型番の携帯電話の必要な回転方向及び締め方向が一致しなく、したがって、レンズの角度は９０度を差異する可能性があるために、ストッパー孔２１２を設ける際に２つのストッパー孔２１２を設けてもよく、２つのストッパー孔２１２がいずれもレンズマウント２に位置し、２つのストッパー孔２１２の角度の格差が９０度であり、この場合、スナップフィットが９０度回転し締める必要があるという問題及び締め方向一致しないという問題に適応できる。当然ながら、実際の状況と具体的なニーズに応じて、本出願の他の実施例では、他のストッパー孔２１２に対応して異なる型番の携帯電話に設けられてもよく、ここで一義的に限定されない。
【００４４】
さらには、図２及図４を参照して、本出願に係るレンズ構造の具体的な実施形態として、前記回り止めアセンブリ３は、前記第１のストッパピン３２を上下に移動するように連動するキー３３をさらに備える。具体的には、キー３３が第１のストッパピン３２に固定接続されてもよく、第１のストッパピン３２がキー３３の連動で上下に移動できることにより、キー３３によりレンズアセンブリ１とレンズマウント２との間の相対的な回動を制御できる。レンズアセンブリ１が正確な位置まで回動する前に、第２の弾性部材３１が圧縮され、ストッパー孔２１２まで移動する際に、第２の弾性部材３１の戻り力で第１のストッパピン３２がストッパー孔２１２内に収まることができることにより、ストッパー孔２１２により第１のストッパピン３２の移動を規制し、さらにレンズアセンブリ１の回動を規制し、自動的に締めるよう実現し、レンズアセンブリ１が回動する必要がある場合、キー３３により第１のストッパピン３２が上がり、ストッパー孔２１２から離れ、レンズアセンブリ１の継続的な回動を実現できる。
【００４５】
好ましくは、前記キー３３は前記第１のストッパピン３２に係合し、前記レンズマウント２に前記キー３３が貫通するための貫通孔が開設される。具体的には、キー３３は第１のストッパピン３２と係止接続され、キー３３がレンズマウント２の外側に設けられ、貫通孔の形状は、一般的に長尺又はウエスト形状であり、キー３３の上下移動を容易にし、制御がより容易である。
【００４６】
図５乃至図９を参照して、本出願は、付加レンズ機構をさらに提供し、前記付加レンズ機構は、上記いずれかの実施例における前記のレンズ構造と、前記スマートデバイス５と連携するための取付本体４とを備え、前記レンズ構造が前記取付本体４を介して前記スマートデバイス５に取り付けられる。
【００４７】
本出願に係る付加レンズ機構は、レンズアセンブリ１とレンズマウントとが２つの単独部材に分けされ、支持台１２が収容キャビティ２１の内部に設けられ、伸縮性弾性アセンブリ１３により支持台１２と収容キャビティ２１との取り外し可能な接続を実現し、支持台１２を収容キャビティ２１の内部で回動させることができ、支持台１２が収容キャビティ２１と取り外し可能であることにより、レンズアセンブリ１とレンズマウント２が相対的な回動と取り外しを実現でき、伸縮性弾性アセンブリ１３でレンズアセンブリ１とレンズマウント２との組み立てを容易に実現できる。レンズマウント２が取付本体４に固定接続されることができ、レンズアセンブリ１が取付本体４に対して相対的に回動することができ、したがって、レンズアセンブリ１の方向が正確な方向まで終始回転するよう保証できることにより、異なる型番の携帯電話に適応できる。
【００４８】
具体的には、取付本体４は、一般的にスマートデバイス５に直接套設され、取付本体４がレンズ構造と係合、粘接又は一体成型することにより、レンズ構造とスマートデバイス５が固定接続され、取付本体４はスマートデバイス５のハウジングであってもよく、又はスマートデバイス５に貼設または套設される固定スリーブであってもよい。
【００４９】
さらには、図５乃至図９を参照して、本出願に係る付加レンズ機構の具体的な実施形態として、前記レンズマウント２は、前記取付本体４に取り外し可能に取り付けられる。具体的には、取付本体４とレンズマウント２とが取り外すことができることにより、着脱及び組み立てをより容易にし、取付本体４に環状係合溝４１が設けられ、環状係合溝４１に切り欠き４１１設けられ、レンズマウント２の底部の外縁に係合突起２４が設けられ、係合突起２４が切り欠き４１１を介して環状係合溝４１内部に入り込み、環状係合溝４１内部で回転ことにより、係合突起２４が環状係合溝４１の内壁に当接し、係合固定を実現する。当然ながら、実際の状況と具体的なニーズに応じて、本出願の他の実施例では、レンズマウント２は、前記取付本体４に取り付けられるのは他の取り外し可能な方式を採用してもよく、ここで一義的に限定されない。
【００５０】
さらには、図５を参照して、本出願に係る付加レンズ機構の具体的な実施形態として、レンズマウント２の底部に前記レンズ構造と前記取付本体４との角度を制限する第２のストッパピン２２が設けられ。具体的には、第２のストッパピン２２がレンズマウント２の底部に設けられ、レンズ構造と取付本体４との間の相対的な回動を制限することに用いられ、第２のストッパピン２２は、一般的にレンズマウント２に突出される突起部であり、該突起部が取付本体４の側壁に当接でき、又は取付本体４に該突起部と連携する凹溝又はストッパが設けられることにより、レンズ構造の位置を制限し、さらにレンズ構造と取付本体４との間の角度を制限する。
【００５１】
さらには、図２及図５を参照して、本出願に係る付加レンズ機構の具体的な実施形態として、前記第２のストッパピン２２は前記レンズマウント２と第３の弾性部材２３を介して接続され、前記第２のストッパピン２２は前記取付本体４に当接する。具体的には、第３の弾性部材２３は、第２のストッパピン２２を弾性変位するように連動することができ、レンズマウント２の底部に第３の弾性部材２３と第２のストッパピン２２とを収容する貫通孔が設けられ、第２のストッパピン２２は該通孔内に上下変位を実現することができ、第３の弾性部材２３を採用するのがレンズマウント２の取り外しを容易にする。
【００５２】
さらには、図７乃至図９を参照して、本出願に係る付加レンズ機構の具体的な実施形態として、フィルタ６をさらに備え、前記フィルタ６は、前記ミラー室１１の前記レンズマウント２から遠い片側に取り外し可能に固定されてもよい。具体的には、レンズ機構に一般的にフィルタ６が套設けられ、フィルタ６によりレンズ機構の撮影の効果を改善でき、フィルタ６は、一般的にレンズアセンブリ１に直接固定され、フィルタ６とレンズアセンブリ１とが取り外し可能に接続される。フィルタ６の種類は、一般的にＣＰＬ（円形偏光子）（ｐｏｌａｒｉｚｅｒ）や可変ＮＤ（Ｎｅｕｔｒａｌ  Ｄｅｎｓｉｔｙ）等であり、フィルタ６の使用中に回動する必要がる可能性があり、回り止めアセンブリ３によりをレンズアセンブリ１がフィルタ６の回動に伴って回動しないよう保証でき、レンズアセンブリ１が終始正確な角度であるようを保証する。
【００５３】
さらには、図９を参照して、本出願に係る付加レンズ機構の具体的な実施形態として、前記フィルタ６と前記ミラー室１１との間に軟質ゴムストリップ６１が設けられる。具体的には、フィルタ６内に、一般的に円形のキャビティ１２２がミラー室１１に套設され、軟質ゴムストリップ６１がキャビティ１２２の内部とミラー室１１の外側に設けられ、軟質ゴムストリップ６１が締りばめにより適切な挿抜力を得ることで、ミラー室１１とフィルタ６との接続をより容易にし、フィルタ６全体の体積をよりコンパクトにする。
【００５４】
上記実施形態は、例を明確に説明するためのものにすぎず、実施形態を限定することを意図するものではなく、当業者であれば、上記の説明に基づき、様々な形態の他の変形または変更を行うことができる。ここで全ての実施形態を網羅する必要がない。これにより派生した明らかな変化又は変更は依然として本願の創造する保護範囲内にある。
【図１】
2021532384.tif 000003
【図２】
2021532384.tif 000004
【図３】
2021532384.tif 000005
【図４】
2021532384.tif 000006
【図５】
2021532384.tif 000007
【図６】
2021532384.tif 000008
【図７】
2021532384.tif 000009
【図８】
2021532384.tif 000010
【図９】
2021532384.tif 000011
【国際調査報告】
2021532384.tif 000012
2021532384.tif 000013
2021532384.tif 000014
2021532384.tif 000015
2021532384.tif 000016
2021532384.tif 000017
2021532384.tif 000018
2021532384.tif 000019